(57)【要約】【課題】  画素内部の能動素子の設計自由度を増して良好な設計を可能たらしめるとともに、表示輝度を自在且つ簡便に設定する。【解決手段】  各画素ＰＸＬへの輝度情報の書き込みは、走査線Ｘが選択された状態で、データ線Ｙに輝度情報に応じた電気信号を印加することによって行われる。各画素に書き込まれた輝度情報は走査線Ｘが非選択となった後も各画素に保持され、各画素の発光素子は保持された輝度情報に応じた輝度で点灯を維持可能である。同一の走査線Ｘに接続された各画素の発光素子を少なくとも走査線単位で強制的に消灯する停止制御線Ｚを有し、各画素に輝度情報が書き込まれてから次に新たな輝度情報が書き込まれる一走査サイクルの間に発光素子を点灯状態から消灯状態にする。その際、一走査サイクルにおける発光時間の割合を表すデューティーを５０％以下に設定する。【選択図】      図１
2006243755.tif 000002
【特許請求の範囲】
【請求項１】
所定の走査サイクルで画素を選択するための走査線と、画素を駆動するための輝度情報を与えるデータ線とがマトリクス状に配設され、
各画素は、供給される電流量によって輝度が変化する発光素子と、走査線によって制御され且つデータ線から与えられた輝度情報を画素に書き込む機能を有する第一の能動素子と、該書き込まれた輝度情報に応じて該発光素子に供給する電流量を制御する機能を有する第二の能動素子とを含み、
各画素への輝度情報の書き込みは、走査線が選択された状態で、データ線に発光素子の輝度の階調に応じた大きさの電気信号を印加することによって行われ、
各画素に書き込まれた輝度情報は走査線が非選択となった後も各画素に保持され、各画素の発光素子は保持された輝度情報に応じた輝度で点灯を維持可能な画像表示装置において、
同一の走査線に接続された各画素の発光素子を少なくとも走査線単位で強制的に消灯する制御手段を有し、各画素に輝度情報が書き込まれてから次に新たな輝度情報が書き込まれる一走査サイクルの間に発光素子を点灯状態から消灯状態にすることによって、該発光素子の時間平均輝度を制御し、
前記制御手段は、一走査サイクルにおける発光時間の割合を表すデューティーを５０％以下に設定することを特徴とする画像表示装置。
【請求項２】
前記制御手段は、該デューティーを２５％以下に設定することを特徴とする請求項１記載の画像表示装置。
【請求項３】
前記制御手段は、絶縁ゲート型電界効果トランジスタからなる該第二の能動素子のゲートに接続された第三の能動素子を含み、該第三の能動素子に与える制御信号により該第二の能動素子のゲート電位を制御して該発光素子を消灯することが可能であり、
該制御信号は、各走査線と平行に設けた停止制御線を介して同一走査線上の各画素に含まれる第三の能動素子に与えられることを特徴とする請求項１記載の画像表示装置。
【請求項４】
前記制御手段は、該発光素子と直列に接続された第三の能動素子を含み、該第三の能動素子に与える制御信号に応じて該発光素子に流れる電流を遮断することが可能であり、
該制御信号は、各走査線と平行に設けた停止制御線を介して同一走査線上の各画素に含まれる第三の能動素子に与えられることを特徴とする請求項１記載の画像表示装置。
【請求項５】
各発光素子は整流作用を有する二端子素子からなり、一方の端子は対応する第二の能動素子に接続され、他方の端子は同一走査線上の各画素では共通接続され且つ走査線間では電気的に分離されており、
前記制御手段は、各二端子素子の共通接続された他方の端子の電位を制御して各二端子素子を消灯することを特徴とする請求項１記載の画像表示装置。
【請求項６】
前記制御手段は、各画素に輝度情報が書き込まれてから次に新たな輝度情報が書き込まれる一走査サイクルの間に、再度走査線を選択して各画素にデータ線から輝度ゼロを表す情報を書き込んで各画素の発光素子を消灯することを特徴とする請求項１記載の画像表示装置。
【請求項７】
各画素は、該発光素子に流れる電流量を制御する第二の能動素子を構成する絶縁ゲート型電界効果トランジスタのゲートに一端が接続された容量素子を含み、
前記制御手段は、該容量素子の他端の電位を制御することにより前記第二の能動素子を構成する絶縁ゲート型電界効果トランジスタのゲートの電位を制御して該発光素子を消灯することを特徴とする請求項１記載の画像表示装置。
【請求項８】
前記制御手段は、各画素に輝度情報が書き込まれた後一走査サイクル内で、各画素に含まれる発光素子の点灯時点及び消灯時点を少なくとも走査線単位で制御することを特徴とする請求項１記載の画像表示装置。
【請求項９】
同一の走査線に赤、緑、青の各画素を共通に接続する一方、前記制御手段は、赤、緑、青の各画素に含まれる発光素子を別々の時点で消灯することを特徴とする請求項１記載の画像表示装置。
【請求項１０】
前記発光素子は有機エレクトロルミネッセンス素子であることを特徴とする請求項１記載の画像表示装置。
【請求項１１】
所定の走査サイクルで画素を選択するための走査線と、画素を駆動するための輝度情報を与えるデータ線とがマトリクス状に配設され、
各画素は、供給される電流量によって輝度が変化する発光素子と、走査線によって制御され且つデータ線から与えられた輝度情報を画素に書き込む機能を有する第一の能動素子と、該書き込まれた輝度情報に応じて該発光素子に供給する電流量を制御する機能を有する第二の能動素子とを含む画像表示装置の駆動方法であって、
各画素への輝度情報の書き込みは、走査線が選択された状態で、データ線に発光素子の輝度の階調に応じた大きさの電気信号を印加することによって行われ、
各画素に書き込まれた輝度情報は走査線が非選択となった後も各画素に保持され、各画素の発光素子は保持された輝度情報に応じた輝度で点灯を維持し、
同一の走査線に接続された各画素の発光素子を少なくとも走査線単位で強制的に消灯可能であり、各画素に輝度情報が書き込まれてから次に新たな輝度情報が書き込まれる一走査サイクルの間に発光素子を点灯状態から消灯状態にすることによって、該発光素子の時間平均輝度を制御し、
一走査サイクルにおける発光時間の割合を表すデューティーを５０％以下に設定することすることを特徴とする画像表示装置の駆動方法。
【請求項１２】
一走査サイクルにおける発光時間の割合を表すデューティーを２５％以下に設定することを特徴とする請求項１１記載の画像表示装置の駆動方法。
【請求項１３】
絶縁ゲート型電界効果トランジスタからなる該第二の能動素子のゲートに第三の能動素子を接続し、該第三の能動素子に与える制御信号により該第二の能動素子のゲート電位を制御して該発光素子を消灯することが可能であり、
該制御信号は、各走査線と平行に設けた停止制御線を介して同一走査線上の各画素に含まれる第三の能動素子に与えることを特徴とする請求項１１記載の画像表示装置の駆動方法。
【請求項１４】
該発光素子と直列に第三の能動素子を接続し、該第三の能動素子に与える制御信号に応じて該発光素子に流れる電流を遮断することが可能であり、
該制御信号は、各走査線と平行に設けた停止制御線を介して同一走査線上の各画素に含まれる第三の能動素子に与えることを特徴とする請求項１１記載の画像表示装置の駆動方法。
【請求項１５】
各発光素子は整流作用を有する二端子素子からなり、一方の端子は対応する第二の能動素子に接続され、他方の端子は同一走査線上の各画素では共通接続され且つ走査線間では電気的に分離されており、
各二端子素子の共通接続された他方の端子の電位を制御して各二端子素子を消灯することを特徴とする請求項１１記載の画像表示装置の駆動方法。
【請求項１６】
各画素に輝度情報が書き込まれてから次に新たな輝度情報が書き込まれる一走査サイクルの間に、再度走査線を選択して各画素にデータ線から輝度ゼロを表す情報を書き込んで各画素の発光素子を消灯することを特徴とする請求項１１記載の画像表示装置の駆動方法。
【請求項１７】
各画素は、該発光素子に流れる電流量を制御する第二の能動素子を構成する絶縁ゲート型電界効果トランジスタのゲートに一端が接続された容量素子を含み、
該容量素子の他端の電位を制御することにより前記第二の能動素子を構成する絶縁ゲート型電界効果トランジスタのゲートの電位を制御して該発光素子を消灯することを特徴とする請求項１１記載の画像表示装置の駆動方法。
【請求項１８】
各画素に輝度情報が書き込まれた後一走査サイクル内で、各画素に含まれる発光素子の点灯時点及び消灯時点を少なくとも走査線単位で制御することを特徴とする請求項１１記載の画像表示装置の駆動方法。
【請求項１９】
同一の走査線に赤、緑、青の各画素を共通に接続する一方、赤、緑、青の各画素に含まれる発光素子を別々の時点で消灯することを特徴とする請求項１１記載の画像表示装置の駆動方法。
【請求項２０】
前記発光素子は有機エレクトロルミネッセンス素子を用いることを特徴とする請求項１１記載の画像表示装置の駆動方法。
【発明の詳細な説明】
【技術分野】
【０００１】
本発明は、信号によって輝度が制御される画素を備えた画像表示装置及びその駆動方法に関する。例えば、有機エレクトロルミネッセンス（ＥＬ）素子等の、電流によって輝度が制御される発光素子を各画素毎に備えた画像表示装置及びその駆動方法に関する。より詳しくは、各画素内に設けられた絶縁ゲート型電界効果トランジスタ等の能動素子によって発光素子に供給する電流量が制御される、所謂アクティブマトリクス型の画像表示装置及びその駆動方法に関する。
【背景技術】
【０００２】
一般に、アクティブマトリクス型の画像表示装置では、多数の画素をマトリクス状に並べ、与えられた輝度情報に応じて画素毎に光強度を制御することによって画像を表示する。電気光学物質として液晶を用いた場合には、各画素に書き込まれる電圧に応じて画素の透過率が変化する。電気光学物質として有機エレクトロルミネッセンス材料を用いたアクティブマトリクス型の画像表示装置でも、基本的な動作は液晶を用いた場合と同様である。しかし液晶ディスプレイと異なり、有機ＥＬディスプレイは各画素に発光素子を有する、所謂自発光型であり、液晶ディスプレイに比べて画像の視認性が高い、バックライトが不要、応答速度が速い等の利点を有する。個々の発光素子の輝度は電流量によって制御される。即ち、発光素子が電流駆動型或いは電流制御型であるという点で液晶ディスプレイ等とは大きく異なる。
【特許文献１】特開平０４−３２８７９１号公報
【特許文献２】特開平０５−０７４５６９号公報
【特許文献３】特開平１０−３１９９０８号公報
【特許文献４】国際公開第９８／０４８４０３号
【特許文献５】特開平０９−２８１９２５号公報
【特許文献６】特開平１０−２９３５５８号公報
【特許文献７】特開平０８−２３４６８３号公報
【０００３】
液晶ディスプレイと同様、有機ＥＬディスプレイもその駆動方式として単純マトリクス方式とアクティブマトリクス方式とが可能である。前者は構造が単純であるものの大型且つ高精細のディスプレイの実現が困難であるため、アクティブマトリクス方式の開発が盛んに行われている。アクティブマトリクス方式は、各画素に設けた発光素子に流れる電流を画素内部に設けた能動素子（一般には、絶縁ゲート型電界効果トランジスタの一種である薄膜トランジスタ、以下ＴＦＴと呼ぶ場合がある）によって制御する。このアクティブマトリクス方式の有機ＥＬディスプレイは例えば特許文献７に開示されており、一画素分の等価回路を図１０に示す。画素ＰＸＬは発光素子ＯＬＥＤ、第一の薄膜トランジスタＴＦＴ１、第二の薄膜トランジスタＴＦＴ２及び保持容量Ｃｓからなる。発光素子は有機エレクトロルミネッセンス（ＥＬ）素子である。有機ＥＬ素子は多くの場合整流性があるため、ＯＬＥＤ（有機発光ダイオード）と呼ばれることがあり、図では発光素子ＯＬＥＤとしてダイオードの記号を用いている。但し、発光素子は必ずしもＯＬＥＤに限るものではなく、素子に流れる電流量によって輝度が制御されるものであればよい。また、発光素子に必ずしも整流性が要求されるものではない。図示の例では、ＴＦＴ２のソースＳを基準電位（接地電位）とし、発光素子ＯＬＥＤのアノードＡ（陽極）はＶｄｄ（電源電位）に接続される一方、カソードＫ（陰極）はＴＦＴ２のドレインＤに接続されている。一方、ＴＦＴ１のゲートＧは走査線Ｘに接続され、ソースＳはデータ線Ｙに接続され、ドレインＤは保持容量Ｃｓ及びＴＦＴ２のゲートＧに接続されている。
【０００４】
ＰＸＬを動作させるために、まず、走査線Ｘを選択状態とし、データ線Ｙに輝度情報を表すデータ電位Ｖｄａｔａを印加すると、ＴＦＴ１が導通し、保持容量Ｃｓが充電又は放電され、ＴＦＴ２のゲート電位はデータ電位Ｖｄａｔａに一致する。走査線Ｘを非選択状態とすると、ＴＦＴ１がオフになり、ＴＦＴ２は電気的にデータ線Ｙから切り離されるが、ＴＦＴ２のゲート電位は保持容量Ｃｓによって安定に保持される。ＴＦＴ２を介して発光素子ＯＬＥＤに流れる電流は、ＴＦＴ２のゲート／ソース間電圧Ｖｇｓに応じた値となり、発光素子ＯＬＥＤはＴＦＴ２から供給される電流量に応じた輝度で発光し続ける。
【０００５】
本明細書では、走査線Ｘを選択してデータ線Ｙの電位を画素内部に伝える操作を、以下「書き込み」と呼ぶ。さて、ＴＦＴ２のドレイン／ソース間に流れる電流をＩｄｓとすると、これがＯＬＥＤに流れる駆動電流である。ＴＦＴ２が飽和領域で動作するものとすると、Ｉｄｓは以下の式で表される。
Ｉｄｓ＝（１／２）・μ・Ｃｏｘ・（Ｗ／Ｌ）・（Ｖｇｓ−Ｖｔｈ）2
＝（１／２）・μ・Ｃｏｘ・（Ｗ／Ｌ）・（Ｖｄａｔａ−Ｖｔｈ）2 …（１）
ここでＣｏｘは単位面積辺りのゲート容量であり、以下の式で与えられる。
Ｃｏｘ＝ε０・εｒ／ｄ…（２）
式（１）及び（２）中、ＶｔｈはＴＦＴ２の閾値を示し、μはキャリアの移動度を示し、Ｗはチャネル幅を示し、Ｌはチャネル長を示し、ε０は真空の誘電率を示し、εｒはゲート絶縁膜の比誘電率を示し、ｄはゲート絶縁膜の厚みである。
【０００６】
式（１）によれば、画素ＰＸＬへ書き込む電位ＶｄａｔａによってＩｄｓを制御でき、結果として発光素子ＯＬＥＤの輝度を制御できることになる。ここで、ＴＦＴ２を飽和領域で動作させる理由は次の通りである。即ち、飽和領域においてはＩｄｓはＶｇｓのみによって制御され、ドレイン／ソース間電圧Ｖｄｓには依存しないため、ＯＬＥＤの特性ばらつきによりＶｄｓが変動しても、所定量の電流ＩｄｓをＯＬＥＤに流すことができるからである。
【０００７】
上述したように、図１０に示した画素ＰＸＬの回路構成では、一度Ｖｄａｔａの書き込みを行えば、次に書き換えられるまで一走査サイクル（一フレーム）の間、ＯＬＥＤは一定の輝度で発光を継続する。このような画素ＰＸＬを図１１のようにマトリクス状に多数配列すると、アクティブマトリクス型画像表示装置を構成することができる。図１１に示すように、従来の画像表示装置は、所定の走査サイクル（例えばＮＴＳＣ規格に従ったフレーム周期）で画素ＰＸＬを選択するための走査線Ｘ１乃至ＸＮと、画素ＰＸＬを駆動するための輝度情報（データ電位Ｖｄａｔａ）を与えるデータ線Ｙとがマトリクス状に配設されている。走査線Ｘ１乃至ＸＮは走査線駆動回路２１に接続される一方、データ線Ｙはデータ線駆動回路２２に接続される。走査線駆動回路２１によって走査線Ｘ１乃至ＸＮを順次選択しながら、データ線駆動回路２２によってデータ線ＹからＶｄａｔａの書き込みを繰り返すことにより、所望の画像を表示することができる。単純マトリクス型の画像表示装置では、各画素ＰＸＬに含まれる発光素子は、選択された瞬間にのみ発光するのに対し、図１１に示したアクティブマトリクス型画像表示装置では、書き込み終了後も各画素ＰＸＬの発光素子が発光を継続するため、単純マトリクス型に比べ発光素子のピーク輝度（ピーク電流）を下げられるなどの点で、取り分け大型高精細のディスプレイでは有利となる。
【０００８】
図１２は、従来の画素構造の他の例を示す等価回路図であり、図１０に示した先の従来例と対応する部分には対応する参照番号を付して理解を容易にしている。先の従来例がＴＦＴ１及びＴＦＴ２としてＮチャネル型の電界効果トランジスタを使っていたのに対し、この従来例ではＰチャネル型の電界効果トランジスタを使っている。従って、図１０の回路構成とは逆に、ＯＬＥＤのカソードＫが負電位のＶｄｄに接続し、アノードＡがＴＦＴ２のドレインＤに接続している。
【０００９】
図１３は、図１２に示した画素ＰＸＬの断面構造を模式的に表している。但し、図示を容易にするため、ＯＬＥＤとＴＦＴ２のみを表している。ＯＬＥＤは、透明電極１０、有機ＥＬ層１１及び金属電極１２を順に重ねたものである。透明電極１０は画素毎に分離しておりＯＬＥＤのアノードＡとして機能し、例えばＩＴＯ等の透明導電膜からなる。金属電極１２は画素間で共通接続されており、ＯＬＥＤのカソードＫとして機能する。即ち、金属電極１２は所定の電源電位Ｖｄｄに共通接続されている。有機ＥＬ層１１は例えば正孔輸送層と電子輸送層とを重ねた複合膜となっている。例えば、アノードＡ（正孔注入電極）として機能する透明電極１０の上に正孔輸送層としてＤｉａｍｙｎｅを蒸着し、その上に電子輸送層としてＡｌｑ３を蒸着し、更にその上にカソードＫ（電子注入電極）として機能する金属電極１２を成膜する。尚、Ａｌｑ３は、８−ｈｙｄｒｏｘｙ  ｑｕｉｎｏｌｉｎｅ  ａｌｕｍｉｎｕｍを表している。このような積層構造を有するＯＬＥＤは一例に過ぎない。かかる構成を有するＯＬＥＤのアノード／カソード間に順方向の電圧（１０Ｖ程度）を印加すると、電子や正孔等キャリアの注入が起こり、発光が観測される。ＯＬＥＤの動作は、正孔輸送層から注入された正孔と電子輸送層から注入された電子より形成された励起子による発光と考えられる。
【００１０】
一方、ＴＦＴ２はガラス等からなる基板１の上に形成されたゲート電極２と、その上面に重ねられたゲート絶縁膜３と、このゲート絶縁膜３を介してゲート電極２の上方に重ねられた半導体薄膜４とからなる。この半導体薄膜４は例えば多結晶シリコン薄膜からなる。ＴＦＴ２はＯＬＥＤに供給される電流の通路となるソースＳ、チャネルＣｈ及びドレインＤを備えている。チャネルＣｈは丁度ゲート電極２の直上に位置する。このボトムゲート構造のＴＦＴ２は層間絶縁膜５により被覆されており、その上にはソース電極６及びドレイン電極７が形成されている。これらの上には別の層間絶縁膜９を介して前述したＯＬＥＤが成膜されている。
【発明の開示】
【発明が解決しようとする課題】
【００１１】
上述したアクティブマトリクス型のＥＬディスプレイを構成する上で、解決すべき第一の課題は、ＯＬＥＤに流れる電流量を制御する能動素子であるＴＦＴ２の設計自由度が小さく、場合によっては画素寸法に合わせた実用的な設計が困難になる。又、解決すべき第二の課題は画面全体の表示輝度を自在に調整することが困難であることである。これらの課題を、図１０乃至１３に示した従来例について具体的な設計パラメータを挙げながら説明する。典型的な設計例では、画面寸法が２０ｃｍ×２０ｃｍ、行の数（走査線本数）が１０００、列の数（データ線の本数）が１０００、画素寸法がＳ＝２００μｍ×２００μｍ、ピーク輝度がＢｐ＝２００ｃｄ／ｍ2 、発光素子の効率がＥ＝１０ｃｄ／Ａ、ＴＦＴ２のゲート絶縁膜の厚みがｄ＝１００ｎｍ、ゲート絶縁膜の比誘電率がεｒ＝３．９、キャリア移動度がμ＝１００ｃｍ2 ／Ｖ・ｓ、画素当たりのピーク電流がＩｐ＝Ｂｐ／Ｅ×Ｓ＝０．８μＡ、｜Ｖｇｓ−Ｖｔｈ｜（駆動電圧）のピーク値がＶｐ＝５Ｖである。このような設計例でピーク電流Ｉｐを供給するため、ＴＦＴ２の設計例としては、前述した式（１）及び（２）から、以下のようになる。
チャネル幅：Ｗ＝５μｍ
チャネル長：Ｌ＝｛Ｗ・／（２・Ｉｐ）｝・μ・Ｃｏｘ・Ｖｐ2 ＝２７０μｍ（３）
【００１２】
ここでまず問題なのは、式（３）で与えられるチャネル長Ｌが、画素サイズ（Ｓ＝２００μｍ×２００μｍ）に匹敵するか乃至はこれを上回る寸法であるということである。式（３）に示すように、ピーク電流Ｉｐはチャネル長Ｌに反比例する。上記例ではピーク電流Ｉｐを動作に必要十分な０．８μＡ程度に抑えるため、チャネル長Ｌを２７０μｍまで長くしなければならない。これでは、画素内におけるＴＦＴ２の占有面積が大きくなり、発光領域を狭める結果となるため好ましくないばかりでなく、画素の微細化が困難になる。本質的な問題は、要求される輝度（ピーク電流）と半導体プロセスのパラメータ等が与えられると、ＴＦＴ２の設計自由度は殆ど無いということである。即ち、上記例でチャネル長Ｌを小さくするためには、式（３）から明らかなようにまずチャネル幅Ｗを小さくすることが考えられる。しかし、プロセス上チャネル幅Ｗの微細化に限界があり、現在の薄膜トランジスタプロセスにおいては上記程度より大幅に微細化することが困難である。別の方法として、駆動電圧のピーク値Ｖｐを小さくすることが考えられる。しかし、その場合、階調制御を行うためには、ＯＬＥＤの発光強度を極めて小さな駆動電圧幅で制御する必要が生じる。例えばＶｐ＝５Ｖの場合においても、発光強度を６４階調で制御しようとすれば、１階調当たりの電圧ステップは平均で５Ｖ／６４＝８０ｍＶ程度となる。これを更に小さくすることは、僅かなノイズやＴＦＴ特性のばらつきによって、画像の表示品質が影響される結果となる。従って、駆動電圧のピーク値Ｖｐを小さくすることにも限界がある。別の解決法としては、式（３）に表れるキャリア移動度μ等のプロセスパラメータを適当な値に設定することが考えられる。しかし、プロセスパラメータを都合のよい値に精度よく制御することは一般に困難であり、そもそも設計しようとする画像表示装置の仕様に合わせて製造プロセスを構築することは経済的に全く現実的でない。このように、従来のアクティブマトリクス型ＥＬディスプレイでは、画素設計の自由度が乏しく、実用的な設計を行うことが困難である。
【００１３】
上述した第一の問題点とも関連するが、第二の問題点として、アクティブマトリクス型のＥＬディスプレイでは画面全体の表示輝度を任意に制御することが困難である。一般に、テレビジョン等の画像表示装置においては画面全体の表示輝度を自在に調整し得るということが、実用上欠くことのできない要件である。例えば周囲が明るい状況下で画像表示装置を使用する場合には画面輝度を高くし、逆に暗い状況下で画像表示装置を使用する場合には画面輝度を低く抑えることが自然である。このような画面輝度の調節は、例えば液晶ディスプレイにおいてはバックライトの電力を変化させることにより容易に実現できる。又、単純マトリクス型のＥＬディスプレイにおいては、アドレス時の駆動電流を調整することにより、比較的簡単に画面輝度を調節可能である。
【００１４】
ところが、アクティブマトリクス型の有機ディスプレイにおいては、画面全体としての表示輝度を任意に調節することは困難である。前述したように、表示輝度はピーク電流Ｉｐに比例し、ＩｐはＴＦＴ２のチャネル長Ｌに反比例する。従って、表示輝度を下げるためにはチャネル長Ｌを大きくすればよいが、これは使用者が任意に表示輝度を選ぶ手段とはなりえない。実現可能な方法として、輝度を下げるために駆動電圧のピーク値Ｖｐを小さくすることが考えられる。しかし、Ｖｐを下げるとノイズ等の原因で画質の劣化を招く。逆に輝度を上げたい場合に、駆動電圧のピーク値Ｖｐを大きくしようとしても、ＴＦＴ２の耐圧等による上限があることは言うまでもない。
【課題を解決するための手段】
【００１５】
上述した従来の技術の課題に鑑み、本発明は画素内部の能動素子の設計自由度を増して良好な設計を可能たらしめるとともに、画面輝度を自在且つ簡便に調整することが可能な画像表示装置を提供することを目的とする。かかる目的を達成するために以下の手段を講じた。即ち、所定の走査サイクルで画素を選択するための走査線と、画素を駆動するための輝度情報を与えるデータ線とがマトリクス状に配設され、各画素は、供給される電流量によって輝度が変化する発光素子と、走査線によって制御され且つデータ線から与えられた輝度情報を画素に書き込む機能を有する第一の能動素子と、該書き込まれた輝度情報に応じて該発光素子に供給する電流量を制御する機能を有する第二の能動素子とを含み、各画素への輝度情報の書き込みは、走査線が選択された状態で、データ線に発光素子の輝度の階調に応じた大きさの電気信号を印加することによって行われ、各画素に書き込まれた輝度情報は走査線が非選択となった後も各画素に保持され、各画素の発光素子は保持された輝度情報に応じた輝度で点灯を維持可能な画像表示装置において、同一の走査線に接続された各画素の発光素子を少なくとも走査線単位で強制的に消灯する制御手段を有し、各画素に輝度情報が書き込まれてから次に新たな輝度情報が書き込まれる一走査サイクルの間に発光素子を点灯状態から消灯状態にすることによって、該発光素子の時間平均輝度を制御する。その際前記制御手段は、一走査サイクルにおける発光時間の割合を表すデューティーを５０％以下に設定することを特徴とする。
【００１６】
好ましくは、前記制御手段は、該デューティーを２５％以下に設定する。一実施形態では、前記制御手段は、絶縁ゲート型電界効果トランジスタからなる該第二の能動素子のゲートに接続された第三の能動素子を含み、該第三の能動素子に与える制御信号により該第二の能動素子のゲート電位を制御して該発光素子を消灯することが可能であり、該制御信号は、各走査線と平行に設けた停止制御線を介して同一走査線上の各画素に含まれる第三の能動素子に与えられる。他の実施形態では、前記制御手段は、該発光素子と直列に接続された第三の能動素子を含み、該第三の能動素子に与える制御信号に応じて該発光素子に流れる電流を遮断することが可能であり、該制御信号は、各走査線と平行に設けた停止制御線を介して同一走査線上の各画素に含まれる第三の能動素子に与えられる。別の実施形態では、各発光素子は整流作用を有する二端子素子からなり、一方の端子は対応する第二の能動素子に接続され、他方の端子は同一走査線上の各画素では共通接続され且つ走査線間では電気的に分離されており、前記制御手段は、各二端子素子の共通接続された他方の端子の電位を制御して各二端子素子を消灯する。更に別の実施形態では、前記制御手段は、各画素に輝度情報が書き込まれてから次に新たな輝度情報が書き込まれる一走査サイクルの間に、再度走査線を選択して各画素にデータ線から輝度ゼロを表す情報を書き込んで各画素の発光素子を消灯する。更に別の実施形態では、各画素は、該発光素子に流れる電流量を制御する第二の能動素子を構成する絶縁ゲート型電界効果トランジスタのゲートに一端が接続された容量素子を含み、前記制御手段は、該容量素子の他端の電位を制御することにより前記第二の能動素子を構成する絶縁ゲート型電界効果トランジスタのゲートの電位を制御して該発光素子を消灯する。更に別の実施形態では、前記制御手段は、各画素に輝度情報が書き込まれた後一走査サイクル内で、各画素に含まれる発光素子の点灯時点及び消灯時点を少なくとも走査線単位で制御する。更に別の実施形態では、同一の走査線に赤、緑、青の各画素を共通に接続する一方、前記制御手段は、赤、緑、青の各画素に含まれる発光素子を別々の時点で消灯する。なお好ましくは、前記発光素子は、有機エレクトロルミネッセンス素子である。
【発明の効果】
【００１７】
本発明によれば、画像表示装置は走査線単位で輝度情報を各画素に書き込んだあと、次の走査線サイクル（フレーム）の輝度情報が新たに書き込まれる以前に、走査線単位で各画素に含まれる発光素子を一括して消灯する。これによれば、輝度情報の書き込み後発光素子の点灯から消灯するまでの時間を設定できることになる。即ち、一走査サイクルにおける発光時間の割合（デューティー）を設定できることになる。発光時間（デューティー）の設定は等価的に各発光素子のピーク電流Ｉｐを設定することに相当する。よって、デューティーを調節することにより簡便且つ自在に表示輝度を調整することが可能である。更に重要な点は、デューティーを適切に設定することで、等価的にＩｐを大きくすることができる。例えば、デューティーを１／１０にすると、Ｉｐを１０倍にしても同等の輝度が得られる。Ｉｐを１０倍にすればＴＦＴのチャネル長Ｌを１／１０にすることができる。このように、デューティーを適当に選ぶことで画素に含まれるＴＦＴの設計自由度が増し、実用的な設計を行うことが可能になる。
【００１８】
以上説明したように、本発明によれば、各画素に輝度情報が書き込まれて発光が開始したあと、次のフレームの書き込みが行われる前に画素の発光を停止できるので、一フレーム内での発光時間の割合（デューティー）を変えることができ、これにより時間平均の表示輝度を簡便に調節することが可能である。更に重要なことは、デューティーを自由に設定できることにより、時間平均の表示輝度を同じに保ったまま、発光時に発光素子に流れる電流量を適宜に設定する自由度が生じるため、発光素子に流れる電流量を制御する能動素子の設計に自由度が生ずる。この結果、より高品位な画像を提供可能な画像表示装置や、より小さな画素サイズの画像表示装置を設計することが可能になる。
【発明を実施するための最良の形態】
【００１９】
以下図面を参照して本発明の実施の形態を詳細に説明する。図１は、本発明にかかる画像表示装置の第一実施形態の一例を表しており、一画素分の等価回路図である。尚、図１０に示した従来の画素構造と対応する部分には対応する参照番号を付して理解を容易にしている。図示するように、本画像表示装置は、所定の走査サイクル（フレーム）で画素ＰＸＬを選択するための走査線Ｘと、画素ＰＸＬを駆動するための輝度情報を与えるデータ線Ｙとがマトリクス状に配設されている。走査線Ｘとデータ線Ｙの交差部に形成された画素ＰＸＬは、発光素子ＯＬＥＤと、第一の能動素子であるＴＦＴ１と、第二の能動素子であるＴＦＴ２と、保持容量Ｃｓとを含む。発光素子ＯＬＥＤは供給される電流量によって輝度が変化する。ＴＦＴ１は走査線Ｘによって制御され且つデータ線Ｙから与えられた輝度情報を画素ＰＸＬに含まれた保持容量Ｃｓに書き込む。ＴＦＴ２はＣｓに書き込まれた輝度情報に応じて発光素子ＯＬＥＤに供給する電流量を制御する。ＰＸＬへの輝度情報の書き込みは、走査線Ｘが選択された状態で、データ線Ｙに輝度情報に応じた電気信号（データ電位Ｖｄａｔａ）を印加することによって行われる。画素ＰＸＬに書き込まれた輝度情報は走査線Ｘが非選択となったあとも保持容量Ｃｓに保持され、発光素子ＯＬＥＤは保持された輝度情報に応じた輝度で点灯を維持可能である。本発明の特徴事項として、同一の走査線Ｘに接続された各画素ＰＸＬの発光素子ＯＬＥＤを少なくとも走査線単位で強制的に消灯する制御手段を有し、各画素ＰＸＬに輝度情報が書き込まれてから次に新たな輝度情報が書き込まれる一走査サイクルの間に発光素子を点灯状態から消灯状態にする。本実施形態では制御手段が、ＴＦＴ２のゲートＧに接続されたＴＦＴ３（第三の能動素子）を含み、ＴＦＴ３のゲートＧに与える制御信号によりＴＦＴ２のゲート電位を制御して、ＯＬＥＤを消灯することが可能である。この制御信号は、走査線Ｘと平行に設けた停止制御線Ｚを介して対応する走査線上の各画素ＰＸＬに含まれるＴＦＴ３に与えられる。制御信号に応じてＴＦＴ３をオン状態にすることにより、保持容量Ｃｓが放電されて、ＴＦＴ２のＶｇｓが０Ｖとなり、ＯＬＥＤに流れる電流を遮断することができる。ＴＦＴ３のゲートＧは走査線Ｘに対応した停止制御線Ｚに共通接続されており、停止制御線Ｚ単位で発光停止制御を行うことができる。
【００２０】
図２は、図１に示したＰＸＬをマトリクス上に配列した画像表示装置の全体構成を示す回路図である。図示するように、走査線Ｘ１，Ｘ２，…，ＸＮが行状に配列され、データ線Ｙが列状に配列されている。各走査線Ｘとデータ線Ｙの交差部に画素ＰＸＬが形成されている。又、走査線Ｘ１，Ｘ２，…，ＸＮと平行に、停止制御線Ｚ１，Ｚ２，…，ＺＮが形成されている。走査線Ｘは走査線駆動回路２１に接続されている。走査線駆動回路２１はシフトレジスタを含んでおり、垂直クロックＶＣＫに同期して垂直スタートパルスＶＳＰ１を順次転送することにより、走査線Ｘ１，Ｘ２，…，ＸＮを一走査サイクル内で順次選択する。一方、停止制御線Ｚは停止制御線駆動回路２３に接続されている。この駆動回路２３もシフトレジスタを含んでおり、ＶＣＫに同期して垂直スタートパルスＶＳＰ２を順次転送することにより、停止制御線Ｚに制御信号を出力する。尚、ＶＳＰ２は遅延回路２４により所定時間だけＶＳＰ１から遅延処理されている。データ線Ｙはデータ線駆動回路２２に接続されており、走査線Ｘの線順次走査に同期して、各データ線Ｙに輝度情報に対応した電気信号を出力する。この場合、データ線駆動回路２２は、いわゆる線順次駆動を行ない、選択された画素の行に対して一斉に電気信号を供給する。或いは、データ線駆動回路２２は、いわゆる点順次駆動を行ない、選択された画素の行に対して順次電気信号を供給しても良い。いずれにしても、本発明は、線順次駆動と点順次駆動の両者を包含している。
【００２１】
図３は、図２に示した本発明の第一実施形態にかかる画像表示装置の動作説明に供するタイミングチャートである。まず、垂直スタートパルスＶＳＰ１が走査線駆動回路２１及び遅延回路２４に入力される。走査線駆動回路２１はＶＳＰ１の入力を受けたあと、垂直クロックＶＣＫに同期して走査線Ｘ１，Ｘ２，…，ＸＮを順次選択し、走査線単位で輝度情報が画素ＰＸＬに書き込まれていく。各画素ＰＸＬは書き込まれた輝度情報に応じた強度で発光を開始する。ＶＳＰ１は遅延回路２４で遅延され、ＶＳＰ２として停止制御線駆動回路２３に入力される。停止制御線駆動回路２３はＶＳＰ２を受けたあと、垂直クロックＶＣＫに同期して停止制御線Ｚ１，Ｚ２，…，ＺＮを順次選択し、発光が走査線単位で停止していく。
【００２２】
図１乃至図３に示した第一実施形態によれば、各画素ＰＸＬが発光するのは輝度情報が書き込まれてから発光停止制御信号によって発光が停止するまでの間、即ち概ね遅延回路２４によって設定された遅延時間分である。その遅延時間をτとし、一走査サイクル（一フレーム）の時間をＴとすると、画素が発光している時間的割合即ちデューティーは概ねτ／Ｔとなる。発光素子の時間平均輝度はこのデューティーに比例して変化する。従って、遅延回路２４を操作して遅延時間τを変更することにより、ＥＬディスプレイの画面輝度を簡便且つ幅広い範囲で可変調整することができる。
【００２３】
更に、輝度の制御が容易になることは、画素回路の設計自由度を増し、より良好な設計を行うことが可能になる。図１０に示した従来の画像表示装置の画素設計例では、ＴＦＴ２のサイズを以下のように決めていた。
チャネル幅：Ｗ＝５μｍ
チャネル長：Ｌ＝｛Ｗ・／（２・Ｉｐ）｝・μ・Ｃｏｘ・Ｖｐ2 ＝２７０μｍ
これらのＴＦＴ２のサイズは、発光素子のデューティーが１の場合に相当している。これに対し、本発明にかかる画像表示装置では上述したようにデューティーを予め所望の値に設定しておくことができる。例えば、デューティーを０．１とすることができる。この場合本発明による設計例として、図１に示したＴＦＴ２のサイズを以下のように縮小できる。
チャネル幅：Ｗ＝５μｍ
チャネル長：Ｌ＝２７０μｍ×０．１＝２７μｍ
その他のパラメータは図１０に示した従来例と同一とする。この場合、発光時にＯＬＥＤに流れる電流は式（１）に従って１０倍となるが、デューティーを０．１としているため、時間平均での駆動電流は、従来例と同じになる。有機ＥＬ素子では、電流と輝度とは通常比例関係にあるので、時間平均の発光輝度は、従来例と本発明とで同等になる。一方、本発明の設計例においては、ＴＦＴ２のチャネル長Ｌが従来例の１／１０と大幅に小型化されている。これにより、画素内部に於けるＴＦＴ２の占有率が大幅に下がり、その結果有機ＥＬ素子の占有面積（発光領域）を大きく取ることができるので、画像品位が向上する。又、画素の微細化も容易に実現可能となる。
【００２４】
図４は、本発明にかかる画像表示装置の第二実施形態の一例を示す全体回路構成図である。図２に示した第一実施形態と対応する部分には対応する参照番号を付して理解を容易にしている。第一実施形態がモノクロの画像表示装置であるのに対し、本実施形態はカラーの画像表示装置であり、ＲＧＢ三原色が割り当てられた画素ＰＸＬが集積形成されている。本実施形態では、同一の走査線Ｘに赤、緑、青の各画素ＰＸＬを共通に接続する一方、停止制御線ＺＲ、ＺＧ、及びＺＢに赤、緑、青の各画素を別々に接続している。これにより、赤、緑、青の各画素に含まれる発光素子を別々の時点で消灯できるようにしている。具体的には、ＲＧＢ三色の画素ＰＸＬに対応して、三個の停止制御線駆動回路２３Ｒ，２３Ｇ，２３Ｂが別々に設けられている。又、これらの停止制御線駆動回路２３Ｒ，２３Ｇ，２３Ｂに対応して、夫々別々に遅延回路２４Ｒ，２４Ｇ，２４Ｂが設けられている。従って、ＲＧＢ別々に、ＶＳＰ１の遅延時間を設定でき、ＶＳＰ２Ｒ，ＶＳＰ２Ｇ，ＶＳＰ２Ｂを対応する停止制御線駆動回路２３Ｒ，２３Ｇ，２３Ｂに供給可能である。停止制御線駆動回路２３Ｒによって制御される停止制御線ＺＲには、赤色画素（Ｒ）が接続され、停止制御線駆動回路２３Ｇによって制御される停止制御線ＺＧには、緑色画素（Ｇ）が接続され、停止制御線駆動回路２３Ｂによって制御される停止制御線ＺＢには、青色画素（Ｂ）が接続される。かかる構成によれば、ＲＧＢの各色毎に、輝度を調節できる。従って、遅延回路２４Ｒ，２４Ｇ，２４Ｂの遅延時間を適切に調整することで、カラー画像表示装置の色度調節が容易になり、カラーバランスを簡単にとることが可能である。即ち、画面を観察して赤み成分が強すぎる場合には、遅延回路２４Ｒの遅延時間を調節し、赤色に対応するデューティーを相対的に小さくすることで、赤み成分を弱めることが可能である。
【００２５】
図５は本発明にかかる画像表示装置の第三実施形態の一例を示す一画素分の等価回路図であり、図１に示した第一実施形態と対応する部分には対応する参照番号を付して理解を容易にしている。本実施形態は発光素子ＯＬＥＤと直列に接続されたＴＦＴ３（第三の能動素子）を含み、ＴＦＴ３に与える制御信号に応じて発光素子ＯＬＥＤに流れる電流を遮断することが可能である。制御信号は、走査線Ｘと平行に設けた停止制御線Ｚを介して同一走査線上の各画素ＰＸＬに含まれるＴＦＴ３のゲートＧに与えられる。本実施形態では、接地電位とＴＦＴ２との間にＴＦＴ３が挿入されており、ＴＦＴ３のゲート電位の制御によって、ＯＬＥＤに流れる電流をオン／オフすることができる。尚、ＴＦＴ３を、ＴＦＴ２とＯＬＥＤの間、或いはＯＬＥＤとＶｄｄとの間に挿入することも可能である。
【００２６】
図６は、本発明にかかる画像表示装置の第四実施形態の一例を示す一画素分の等価回路図である。図１０に示した従来例と対応する部分には対応する参照番号を付して理解を容易にしている。本実施形態では発光素子ＯＬＥＤは整流作用を有する二端子素子からなり、一方の端子（カソードＫ）はＴＦＴ２に接続され、他方の端子（アノードＡ）は停止制御線Ｚに接続されている。同一走査線上の各画素では二端子素子のアノードＡは停止制御線Ｚに共通接続され、異なる走査線間では電気的に分離されている。この場合、二端子素子の共通接続された他方の端子（アノードＡ）の電位を停止制御線Ｚにより制御して、各ＯＬＥＤを消灯する。但し、ＯＬＥＤのアノードＡは従来のように一定電位のＶｄｄに接続されるのではなく、停止制御線Ｚを介して外部からその電位が制御される。アノード電位を十分高い値とすれば、ＯＬＥＤにはＴＦＴ２によって制御される電流が流れるが、ＯＬＥＤは二端子素子で整流作用があるため、アノード電位を十分低い電位（例えば接地電位）とすることにより、ＯＬＥＤに流れる電流をオフすることができる。
【００２７】
図７は、図６に示した第四実施形態の制御例を示すタイミングチャートである。一走査サイクル（一フレーム）をＴで表している。一走査サイクルＴの先頭に位置する書き込み期間（ＲＴ）で、全画素に対する輝度情報の書き込みを線順次で行う。即ち、この例では、一走査サイクルの一部を利用して高速に輝度情報を全ての画素に書き込んでいる。書き込みが完了したあと、停止制御線Ｚを一斉に制御して、各画素に含まれるＯＬＥＤをオンする。これにより、各画素のＯＬＥＤは書き込まれた輝度情報に応じて夫々発光を開始する。そのあと所定の遅延時間τが経過すると、全ての停止制御線Ｚを介して全てのＯＬＥＤのアノードＡを接地電位に落とす。これにより、発光がオフになる。以上のような制御により、全画素単位でデューティーτ／Ｔを調整可能である。尚、本発明はこれに限られるものではなく、少なくとも走査線単位で各画素のオン／オフを制御するようにしてもよい。以上のように、本制御例では、各画素に輝度情報が書き込まれたあと一走査サイクル内で、各画素に含まれる発光素子の点灯時点及び消灯時点を画面単位若しくは走査線単位で制御できる。
【００２８】
図８は、本発明にかかる画像表示装置の第五実施形態の一例を示す全体回路構成図であり、図１１に示した従来例と対応する部分には対応する参照番号を付して理解を容易にしている。本実施形態は先の実施形態と異なり、特別の停止制御線を設けること無く、走査線Ｘ１乃至ＸＮを利用して各画素ＰＸＬのデューティー制御を行っている。このために、走査線駆動回路２１とは別に制御回路２３’を設けている。制御回路２３’の各出力端子は対応する各アンドゲート回路２８の一方の入力端子に接続されている。各アンドゲート回路２８の出力端子は次段のオアゲート回路２９の一方の入力端子を介して各走査線Ｘ１，Ｘ２，…，ＸＮに接続している。各アンドゲート回路２８の他方の端子にはＶＣＫが供給されている。なお、走査線駆動回路２１の各出力端子は対応する各オアゲート回路２９の他方の入力端子を介して各走査線Ｘ１，Ｘ２，…，ＸＮに接続している。又、ＶＳＰ１は先の実施形態と同様に遅延回路２４を介してＶＳＰ２となり、制御回路２３’に供給される。一方、各データ線ＹはＰチャネル型のＴＦＴ２６を介してデータ線駆動回路２２に接続されている。ＴＦＴ２６のゲートにはＶＣＫが供給されている。又、各データ線Ｙの電位はＮチャンネル型のＴＦＴ２７によっても制御できる。ＴＦＴ２７のゲートにもＶＣＫが供給されている。このように、本画像表示装置の周辺回路構成は図１１に示した従来例と異なるが、個々の画素ＰＸＬの回路構成は、図１０に示した従来の画素回路構成と同一である。かかる構成により、制御回路２３’は、各画素ＰＸＬに輝度情報が書き込まれてから次に新たな輝度情報が書き込まれる一走査サイクルの間に、再度走査線Ｘを選択して各画素ＰＸＬにデータ線Ｙから輝度０を表す情報を書き込んで各画素ＰＸＬの発光素子ＯＬＥＤを消灯することができる。
【００２９】
図９は、図８に示した第五実施形態の動作説明に供するタイミングチャートである。図示するように、垂直スタートパルスＶＳＰ１は走査線駆動回路２１及び遅延回路２４に入力される。走査線駆動回路２１はＶＳＰ１を受け入れたあと、垂直クロックＶＣＫに同期して走査線Ｘ１，Ｘ２，…，ＸＮを順次選択し、走査線単位で各画素ＰＸＬに輝度情報を書き込んでいく。各画素は書き込まれた輝度情報に応じた強度で発光を開始する。但し、本実施形態ではＴＦＴ２６，２７を設けたことにより、各データ線ＹはＶＣＫ＝Ｈ（ハイレベル）の期間で輝度０に相当する電位（この例では接地電位）となり、ＶＣＫ＝Ｌ（ローレベル）の期間において本来の輝度情報が与えられるようになっている。この関係は図９のＶＣＫの波形にＬ，Ｈを付し、データ線の波形にハッチングを付して模式的に表してある。ＶＳＰ１は遅延回路２４で遅延されたあと、ＶＳＰ２として制御回路２３’に入力される。制御回路２３’はＶＳＰ２を受け入れたあと、垂直クロックＶＣＫに同期して動作するが、その出力はアンドゲート回路２８に入力される。各アンドゲート回路２８にはＶＣＫが同時に入力されているので、制御回路２３’の出力がＨ（ハイレベル）で且つＶＣＫ＝Ｈ（ハイレベル）の時に走査線Ｘが選択される。前述したように、ＶＣＫ＝Ｈの期間は各データ線Ｙに輝度０に相当する電位が与えられているので、制御回路２３’によって選択された走査線Ｘに接続された画素は輝度０に相当する情報により発光が停止する。
【００３０】
図１４は本発明にかかる画像表示装置の第六実施形態の一例を示す一画素分の等価回路図であり、図１に示した第一実施形態と対応する部分には対応する参照番号を付して理解を容易にしている。先の各実施形態では、画素の消灯を行うためにトランジスタを追加する必要のあるものが多いが、本実施形態は、追加のトランジスタが不要で、より実用的な構成になっている。図示するように、発光素子ＯＬＥＤに供給する電流量を制御するトランジスタＴＦＴ２のゲートＧに接続された容量素子Ｃｓの他方の端子が発光停止制御線Ｚに接続される。書き込み終了後、発光停止線Ｚの電位を（この図の例では）下げる。例えば、容量素子Ｃｓの容量がＴＦＴ２のゲート容量等に比べ十分大きい場合は、発光停止制御線Ｚの電位変化がすなわちＴＦＴ２のゲート電位の変化となる。従って、書き込み時のＴＦＴ２のゲート電位の最大値をＶｇｍａｘとした場合、発光停止制御線Ｚの電位を、書き込み時よりＶｇｍａｘ−Ｖｔｈ以上下げることによって、ＴＦＴ２のゲート電位をＶｔｈ以下にすることができ、従って発光素子ＯＬＥＤは消灯する。実際にはＴＦＴ２のゲート容量等を考慮し、もう少し大きな振幅で制御することが望ましい。
【００３１】
図１５は、図１４に示した第六実施形態の動作説明に供するタイミングチャートである。図示するように、停止制御線は、走査線選択と概ね同時に高レベルとされ、書き込み終了後高レベルが保たれている期間、発光素子は書き込まれた輝度情報に応じた輝度にて発光状態となる。次のフレームで新たなデータが書き込まれる以前に停止制御線を低レベルにすると、発光素子は消灯する。
【００３２】
ところで、ＣＲＴにおいては表示画像はμｓｅｃオーダで輝度が減衰するのに対し、アクティブマトリクス型のディスプレイでは一フレームの間画像を表示し続ける保持型の表示原理となっている。この為、動画表示を行なう場合、動画の輪郭に沿った画素はフレームの切り換わる直前まで画像を表示しており、これが人間の目の残像効果と相まって、次のフレームでもそこに像が表示されているかの如く感知する。これが、アクティブマトリクス型ディスプレイにおける動画表示の画質がＣＲＴに比較し低くなる根本原因である。この解決策として、本発明にかかる駆動方法が効果的であり、画素を強制的に消灯して人間の目で感ずる残像を断ち切る技術を導入することで、動画質の改善を図ることが出来る。具体的には、アクティブマトリクス型のディスプレイにおいて、一フレームの前半で画像を表示する一方、一フレームの後半はあたかもＣＲＴ輝度が減衰するかの如くに、画像を消灯する方法を採用している。動画質改善の為には、フレーム当たり、点灯と消灯のデューティーを５０％程度に設定する。更に高い動画質改善の為には、フレーム当たり、点灯と消灯のデューティーを２５％以下に設定すると良い。
【図面の簡単な説明】
【００３３】
【図１】本発明にかかる画像表示装置の第一実施形態を示す画素回路図である。
【図２】第一実施形態の全体回路構成図である。
【図３】第一実施形態のタイミングチャートである。
【図４】本発明にかかる画像表示装置の第二実施形態の全体回路構成図である。
【図５】本発明にかかる画像表示装置の第三実施形態を示す画素回路図である。
【図６】本発明にかかる画像表示装置の第四実施形態を示す画素回路図である。
【図７】第四実施形態のタイミングチャートである。
【図８】本発明にかかる画像表示装置の第五実施形態を示す全体回路構成図である。
【図９】第五実施形態のタイミングチャートである。
【図１０】従来の画像表示装置の一例を示す画素回路図である。
【図１１】従来の画像表示装置の全体回路構成図である。
【図１２】従来の画像表示装置の他の例を示す画素回路図である。
【図１３】従来の画像表示装置の構造を示す断面図である。
【図１４】本発明にかかる画像表示装置の第六実施形態の一例を示す一画素分の等価回路図である。
【図１５】図１４に示した第六実施形態の動作説明に供するタイミングチャートである。
【符号の説明】
【００３４】
ＰＸＬ・・・画素、ＯＬＥＤ・・・発光素子、ＴＦＴ１・・・第一能動素子、ＴＦＴ２・・・第二能動素子、ＴＦＴ３・・・第三能動素子、Ｃｓ・・・保持容量、Ｘ・・・走査線、Ｙ・・・データ線、Ｚ・・・停止制御線、２１・・・走査線駆動回路、２２・・・データ線駆動回路、２３・・・停止制御線駆動回路、２４・・・遅延回路
【図１】
2006243755.tif 000003
【図２】
2006243755.tif 000004
【図３】
2006243755.tif 000005
【図４】
2006243755.tif 000006
【図５】
2006243755.tif 000007
【図６】
2006243755.tif 000008
【図７】
2006243755.tif 000009
【図８】
2006243755.tif 000010
【図９】
2006243755.tif 000011
【図１０】
2006243755.tif 000012
【図１１】
2006243755.tif 000013
【図１２】
2006243755.tif 000014
【図１３】
2006243755.tif 000015
【図１４】
2006243755.tif 000016
【図１５】
2006243755.tif 000017